(57)【特許請求の範囲】
【請求項１】
足ボトムを回動自在に支持するメインフレームと、前記足ボトムの角度を調節するためのステーと、該ステーを支持する、前記メインフレームのベッド幅方向外側に固着された支持部材と、を備えた足ボトム支持構造において、
前記支持部材は、第一当接部と、第二当接部と、を備え、
前記ステーは、２つの回転支持部と、２つの操作部と、２つの被支持部と、連結部と、が一体に形成され、
前記２つの回転支持部はそれぞれ、前記足ボトムに対して回転自在に前記足ボトムに挿通され、
前記２つの操作部の１つは、前記２つの回転支持部の１つと、前記２つの被支持部の１つと、の間に延在し、かつ前記２つの回転支持部の前記１つおよび前記２つの被支持部の前記１つに連なり、
前記２つの操作部の別の１つは、前記２つの回転支持部の別の１つと、前記２つの被支持部の別の１つと、の間に延在し、かつ前記２つの回転支持部の前記別の１つおよび前記２つの被支持部の前記１つに連なり、
前記２つの被支持部はそれぞれ、前記第一当接部または第二当接部に支持されることが可能であり、
前記連結部は、前記２つの被支持部の間に延在し、かつ前記連結部の一端は前記２つの被支持部の前記１つに連なり、前記連結部の他端は、前記２つの被支持部の前記別の１つに連なり、
前記連結部の少なくとも一部の高さは、前記２つの被支持部の高さよりも高く、前記被支持部が前記第一当接部に支持されている状態より、前記第二当接部に支持されている状態の方が足ボトムの足側端部の高さが低い、ことを特徴とする足ボトム支持構造。
【請求項２】
前記２つの回転支持部、前記２つの操作部、前記２つの被支持部、および前記連結部はそれぞれ、互いに同等の大きさの断面を有することを特徴とする請求項１に記載の足ボトム支持構造。
【請求項３】
前記ステーは屈曲した棒状に形成されていることを特徴とする請求項１または２に記載の足ボトム支持構造。
【請求項４】
前記ステーは、前記２つの回転支持部が前記足ボトムに挿通された場合に、前記２つの操作部が前記２つの被支持部から足側に向けて延びるように、かつ、足側に向けて開口するように形成されていることを特徴とする請求項１から３のいずれか１項に記載の足ボトム支持構造。
【請求項５】
前記支持部材が、前記ステーの上方への移動を規制する上方規制部を有することを特徴とする請求項１から４のいずれか１項に記載の足ボトム支持構造。
【請求項６】
前記第二当接部は、前記第一当接部よりも頭側に配置されている請求項１から請求項５のいずれか１項に記載の足ボトム支持構造。
【請求項７】
使用者の膝から足先を支える足ボトムと、
前記足ボトムを支持し、その角度を調節可能な足ボトム支持構造と、を有する寝台装置において、
前記足ボトム支持構造は、請求項１から請求項６のいずれか１項に記載の足ボトム支持構造であることを特徴とする寝台装置。
【発明の詳細な説明】
【技術分野】
【０００１】
本発明は、足ボトム支持構造および寝台装置に関するものである。
【背景技術】
【０００２】
例えば下記特許文献１が開示するように、膝ボトムを上昇させた状態で足ボトムの角度を調節可能な足ボトムの支持機構が従来から用いられている。
【先行技術文献】
【特許文献】
【０００３】
【特許文献１】特開２００９−２０７６２６号公報
【発明の概要】
【発明が解決しようとする課題】
【０００４】
上記特許文献１の構成では、足ボトムの角度調節機能を実現するために多数の部品が用いられており、コストダウンを図るためにより簡易な構成の足ボトムの支持構造が求められている。
【０００５】
本発明はこのような事情を考慮してなされたもので、簡易な構成で足ボトムの角度調節機能を実現する足ボトム支持構造および寝台装置を提供することを目的とする。
【課題を解決するための手段】
【０００６】
上記課題を解決するために、本発明は以下の手段を提案している。
（１）本発明に係る足ボトム支持構造は、足ボトムの角度を調節するためのステーと、該ステーを支持する支持部材と、を備えた足ボトム支持構造において、前記ステーは、前記足ボトムを回転自在に支持する一対の回転支持部と、前記一対の回転支持部に各別に連なって延びる一対の操作部と、前記一対の操作部に各別に連なり、前記支持部材に支持される一対の被支持部と、前記一対の被支持部の間に延在し、両端が前記一対の被支持部に各別に連なる連結部と、が一体に形成されていることを特徴とする。
【０００７】
本発明の足ボトム支持構造によれば、一対の回転支持部と、一対の操作部と、一対の被支持部と、連結部と、が一体に形成されたステーを用いた、簡易な構成によって足ボトムの角度調節機能を実現することができる。
【０００８】
（２）上記（１）に係る足ボトム支持構造では、前記一対の回転支持部、前記一対の操作部、前記一対の被支持部、および前記連結部はそれぞれ、互いに同等の大きさの断面を有していてもよい。
【０００９】
この場合、例えば棒体を曲げることでステーを成形することが可能となり、鋳型等を用いる場合や、複数の部品を溶接してステーを成形する場合と比較して、製造コストを抑えることができる。
【００１０】
（３）上記（１）または（２）に係る足ボトム支持構造では、前記ステーは屈曲した棒状に形成されていてもよい。
【００１１】
この場合、例えば棒体を曲げることでステーを成形することが可能となり、鋳型等を用いる場合や、複数の部品を溶接してステーを成形する場合と比較して、製造コストを抑えることができる。
【００１２】
（４）上記（１）から（３）のいずれか１つに係る足ボトム支持構造では、前記ステーは、前記一対の操作部が前記一対の被支持部から同じ側に延びることによってＣ字状に形成されていてもよい。
【００１３】
この場合、一対の回転支持部が互いに近づくようにステーを弾性変形させやすくなり、例えばステーを足ボトムに取り付ける際の作業性を向上させることができる。
【００１４】
（５）上記（１）から（４）のいずれか１つに係る足ボトム支持構造では、前記支持部材が、前記ステーの上方への移動を規制する上方規制部を有していてもよい。
【００１５】
この場合、支持部材の上方規制部がステーの上方への移動を規制するため、ステーの回転支持部を介して足ボトムの上方への移動をも規制することができる。これにより、例えば足ボトムを勢いよく上方に移動させた場合に、ステーが支持部材から外れるとともに足ボトムが過剰に上方に移動するのを防止することができる。
【００１６】
本発明に係る寝台装置は、使用者の膝から足先を支える足ボトムと、前記足ボトムを支持し、その角度を調節可能な足ボトム支持構造と、を有する寝台装置において、前記足ボトム支持構造は、上記（１）から（５）のいずれか１つに係る足ボトム支持構造であることを特徴とする。
【００１７】
本発明の寝台装置によれば、簡易な構成で足ボトムの角度調節機能を実現することができる。
【発明の効果】
【００１８】
本発明によれば、簡易な構成で足ボトムの角度調節機能を実現する足ボトムの支持構造および寝台装置を提供することができる。
【図面の簡単な説明】
【００１９】
【図１】本発明の一実施形態に係る寝台装置の斜視図である。
【図２】図１に示す寝台装置の側面図である。
【図３】図１に示す寝台装置の上面図である。
【図４】図１に示す寝台装置の下面図である。
【図５】図２に示す寝台装置において寝台を上昇させた状態を示す側面図である。
【図６】図１に示す寝台装置において背ボトムおよび脚ボトムを回動させた状態を示す斜視図である。
【図７】図１に示す寝台装置における、メインフレームを含む一部分の斜視図であって、上下反転させた状態を示す図である。
【図８】本発明の一実施形態に係るステーの斜視図である。
【図９】図４に示す寝台装置のうち、足ボトム支持構造を含む一部分の下面図である。
【図１０】図２に示す寝台装置のうち、足ボトム支持構造を含む一部分の側面図であって、膝ボトムを回動させた状態を示す図である。
【図１１】図１０に示す寝台装置において、ステーを操作して足ボトムの角度を変化させた状態を示す図である。
【発明を実施するための形態】
【００２０】
本発明の一実施形態に係る寝台装置１０を、図１から図１１に基づいて以下に説明する。寝台装置１０は、例えば、医療環境下（介護環境下を含む）において、一般床寝台装置やＩＣＵ寝台装置等として利用することができる。図１から図１１において、矢印Ｈは人（使用者）が寝る際に頭側Ｈとなる向きを示し、また矢印Ｆは人が寝る際に足側Ｆとなる向きを示している。以下の説明においては、矢印Ｈ、Ｆの方向である前後方向に対して直交する水平方向を左右方向と言う場合が有る。前後方向および左右方向は、いずれも水平方向に沿う方向である。
【００２１】
図１から図６に示すように、寝台装置１０は、寝台１１と、支持架台１２と、側柵１３ａ、１３ｂと、ボード１４と、オプション１５と、駆動機構１６と、足ボトム支持構造９０と、を備えている。寝台装置１０は、電力を動力源とするいわゆる電動寝台装置（ギャッチベッド）である。
寝台１１は、平面視した場合に左右方向よりも前後方向に長い。寝台１１の長手方向は前後方向とされ、寝台１１の短手方向は左右方向となっている。寝台１１上には、図示しないマットレスが配置される。寝台１１には、前記マットレスを介して使用者が横臥する。
【００２２】
寝台１１は、背ボトム２１と、腰ボトム２２と、脚ボトム２３と、を備えている。これらの背ボトム２１、腰ボトム２２および脚ボトム２３は、頭側Ｈから足側Ｆに向けてこの順に並んでいる。背ボトム２１は、使用者の背を支える。腰ボトム２２は、使用者の腰を支える。脚ボトム２３は、使用者の脚を支える。
【００２３】
（支持架台）
支持架台１２は、寝台１１を支持する。支持架台１２は、寝台１１、および寝台１１上の使用者それぞれの荷重を受け止める。図２および図４に示すように、支持架台１２は、ベースフレーム３１と、メインフレーム３２と、昇降機構３３と、を備えている。
ベースフレーム３１は、平面視において矩形状をなす。ベースフレーム３１は、前後方向に延びる第一縦部材３４と、左右方向に延びる第一横部材３５と、接地面に接地する接地部３６と、を備えている。
【００２４】
第一縦部材３４は、左右方向に間隔をあけて一対設けられている。
第一横部材３５は、左右一対の第一縦部材３４間に架設されている。第一横部材３５は、左右一対の第一縦部材３４を左右方向に連結している。第一横部材３５は、前後方向に間隔をあけて一対設けられている。第一横部材３５は、第一縦部材３４に移動不能に固定されている。第一横部材３５は、第一縦部材３４に溶接（固着）されている。
【００２５】
接地部３６は、第一縦部材３４の前後方向の端部に設けられている。第一縦部材３４の前後方向の端部は、第一横部材３５よりも前後方向の外側に突出している。なお図示の例では、接地部３６として、キャスターを採用しているが、キャスターに代えてゴムカバーを採用することも可能である。
【００２６】
メインフレーム３２は、寝台１１を支持する。メインフレーム３２は、平面視において矩形状をなす。メインフレーム３２は、前後方向に延びる第二縦部材３７と、左右方向に延びる第二横部材３８と、オプション１５を取り付けるオプション取付け部３９と、を備えている。
【００２７】
第二縦部材３７は、左右方向に間隔をあけて一対設けられている。
第二横部材３８は、左右一対の第二縦部材３７を左右方向に連結している。第二横部材３８は、前後方向に間隔をあけて一対設けられている。第二横部材３８は、第二縦部材３７に移動不能に固定されている。第二横部材３８は、第二縦部材３７に溶接（固着）されている。第二横部材３８の左右方向の端部は、第二縦部材３７よりも左右方向に突出している。
オプション取付け部３９は、第二横部材３８の左右方向の端部に設けられている。
【００２８】
図４および図５に示すように、昇降機構３３は、メインフレーム３２をベースフレーム３１に対して昇降自在に連結する。昇降機構３３は、前後一対の昇降ユニット４０を備えている。一対の昇降ユニット４０は、腰ボトム２２を前後方向に挟むように配置されている。各昇降ユニット４０は、左右一対のリンク機構４１と、左右一対のリンク機構４１を連結する連結部材４２と、を備えている。前後一対の昇降ユニット４０が並行に作動することで、昇降機構３３が寝台１１を昇降させる。
【００２９】
図１および図６に示すように、支持架台１２は、背ボトム２１および脚ボトム２３を回動自在に支持している。本実施形態では、腰ボトム２２が支持架台１２に固定され、背ボトム２１および脚ボトム２３が、後述するボトムヒンジ６４ｄおよびボトムヒンジ６４ｅを介して腰ボトム２２にそれぞれ回動自在に連結されている。
【００３０】
ボード１４は、支持架台１２における前後方向の両端部に配置されている。ボード１４は、表裏面が前後方向を向く板状に形成されている。ボード１４は、支持架台１２に着脱自在に装着されている。ボード１４は、頭側Ｈに位置するヘッドボード１４ａと、足側Ｆに位置するフットボード１４ｂと、を備えている。
【００３１】
（側柵）
側柵１３ａ、１３ｂは、支持架台１２における左右方向の端部に配置されている。本実施形態では、側柵１３ａ、１３ｂは、支持架台１２に対して左右方向の両側に配置されている。側柵１３ａ、１３ｂは、前後方向に間隔をあけて配置されている。側柵１３ａ、１３ｂは、支持架台１２に昇降自在に連結されている。
【００３２】
側柵１３ａ、１３ｂは、前後方向に沿う頭側Ｈに偏って配置されている。寝台装置１０を左右方向から見た側面視において、側柵１３ａ、１３ｂは、ヘッドボード１４ａに対して近接し、フットボード１４ｂに対して離間している。
オプション１５は、オプション取付け部３９に着脱自在に装着されている。本実施形態では、オプション１５としてスペーサ１５ａが備えられている。スペーサ１５ａは、前記側面視における側柵１３ｂとフットボード１４ｂとの間の空間を塞いでいる。
【００３３】
（駆動機構）
駆動機構１６は、不図示のボタン等の操作に基づき、背ボトム２１および脚ボトム２３を回動させる。また、駆動機構１６は、不図示のボタン等の操作に基づき、寝台１１を昇降させる。
駆動機構１６は、寝台１１を昇降させる昇降駆動機構５１と、背ボトム２１または脚ボトム２３を回動させる回動駆動機構５２と、を備えている。
図４に示すように、昇降駆動機構５１及び回動駆動機構５２は、支持架台１２に取り付けられる。昇降駆動機構５１及び回動駆動機構５２は、寝台１１の下方に配置されている。昇降駆動機構５１及び回動駆動機構５２は、前後方向に伸縮する直動アクチュエータである。
【００３４】
昇降駆動機構５１は、昇降機構３３に駆動力を伝達してメインフレーム３２をベースフレーム３１に対して昇降させる。昇降駆動機構５１は、前後方向に一対設けられている。一対の昇降駆動機構５１は、寝台１１における左右方向の中央部に配置されている。
【００３５】
各昇降駆動機構５１の前後方向の両端部は、メインフレーム３２と、昇降ユニット４０と、にそれぞれ取り付けられている。頭側Ｈの昇降駆動機構５１では、頭側Ｈの端部が、頭側Ｈの昇降ユニット４０に取り付けられ、足側Ｆの端部が、メインフレーム３２に取り付けられている。足側Ｆの昇降駆動機構５１では、足側Ｆの端部が、足側Ｆの昇降ユニット４０に取り付けられ、頭側Ｈの端部が、メインフレーム３２に取り付けられている。
【００３６】
回動駆動機構５２は、背ボトム２１を回動させる第一駆動機構５３と、脚ボトム２３を回動させる第二駆動機構５４と、を備えている。第一駆動機構５３および第二駆動機構５４は、昇降駆動機構５１を左右方向に挟むように配置されている。第一駆動機構５３および第二駆動機構５４の前後方向の両端部は、支持架台１２と、背ボトム２１または脚ボトム２３と、にそれぞれ取り付けられている。
【００３７】
なお本実施形態では、支持架台１２には、第一駆動機構５３および第二駆動機構５４の前後方向の端部が共通して取り付けられる取付け部材４３が設けられている。取付け部材４３は、第二縦部材３７間に左右方向に架設されている。取付け部材４３は、腰ボトム２２よりも足側Ｆに配置されている。第一駆動機構５３および第二駆動機構５４の前後方向の足側Ｆの端部はいずれも、取付け部材４３に取り付けられている。これにより、例えば、第一駆動機構５３および第二駆動機構５４が、支持架台１２の別々の部材に取り付けられる場合に比べて、構造の簡素化が図られている。
【００３８】
（腰ボトム）
図７に示すように、腰ボトム２２は、一対の固定材６１と、連結材６２と、ボトム板６３と、一対の側材６４と、を備えている。一対の固定材６１は、支持架台１２上に間隔をあけて配置され、支持架台１２に固定される。各固定材６１は、左右方向に延びている。一対の固定材６１は、前後方向に間隔をあけて配置されている。各固定材６１は、左右一対の第二縦部材３７に架設されている。各固定材６１の左右方向の端部は、左右一対の第二縦部材３７から左右方向の外側に向けて突出している。各固定材６１は、第二縦部材３７に溶接（固着）されている。固定材６１は、パイプ（管状）である。固定材６１を左右方向から見た形状は、矩形状である。
【００３９】
連結材６２は、一対の固定材６１間に配置され、一対の固定材６１を連結する。連結材６２は、間隔をあけて複数設けられている。本実施形態では、連結材６２は、左右方向に間隔をあけて一対配置されている。連結材６２は、一対の固定材６１を前後方向に連結している。連結材６２における前後方向の両端部は、固定材６１に溶接（固着）されている。
【００４０】
一対の連結材６２は、一対の固定材６１における左右方向の中央部に配置されている。各連結材６２は、互いに同等の形状で同等の大きさに形成されている。連結材６２は、プレート（板状）である。連結材６２は、左右方向に直交する直交面に沿って延びている。連結材６２は、上下方向よりも前後方向に長い。
【００４１】
連結材６２は、本体板６５と、突出板６６と、を備えている。本体板６５は、本体板６５の正面視において前後方向に長い矩形状に形成されている。本体板６５の上下両縁はそれぞれ、連結材６２の上下両面に対して、上下方向に同等の位置に配置されている。本体板６５の前後方向の端縁はそれぞれ、固定材６１に溶接（固着）されている。
【００４２】
突出板６６は、本体板６５から下方に向けて突出している。突出板６６は、本体板６５における足側Ｆの端部に配置されている。突出板６６は、突出板６６の正面視において矩形状に形成されている。突出板６６は、本体板６５よりも前後方向に小さい。
【００４３】
ボトム板６３は、一対の固定材６１および連結材６２を覆い、一対の固定材６１に固定されている。ボトム板６３は、一対の固定材６１および連結材６２を上方から覆っている。ボトム板６３は、ボトム板６３の正面視において左右方向に長い矩形状に形成されている。ボトム板６３の左右方向の大きさは、固定材６１の左右方向の大きさと同等である。ボトム板６３の前後方向の端部は、一対の固定材６１上に配置され、固定材６１に固定されている。ボトム板６３の下面には、本体板６５の上縁が突き当てられている。
【００４４】
一対の側材６４は、ボトム板６３の左右方向の両端部に配置されている。本実施形態では、一方の側材６４が、側柵１３ａ、１３ｂと上下方向に対向している。一対の側材６４は、左右方向に直交する直交面に沿って延びている。一対の側材６４は、一対の固定材６１の端部同士を連結する。一対の側材６４は、固定材６１に溶接（固着）されている。
一対の側材６４は、互いに同等の形状で同等の大きさに形成されている。側材６４は、プレート（板状）である。側材６４は、例えば鋼板をプレス加工することにより成形される。側材６４は、上下方向よりも前後方向に長い。側材６４は、連結材６２やボトム板６３よりも前後方向に長い。
【００４５】
側材６４は、マットレス規制部６４ａと、一対のバッグ保持部６４ｂと、ベルト受け部６４ｃと、ボトムヒンジ６４ｄ、６４ｅと、を有する。
マットレス規制部６４ａは、ボトム板６３のマットレス載置面から上方に向けて延びている。マットレス規制部６４ａは、ボトム板６３上に載置される不図示のマットレスの左右方向における位置を規制する。マットレス規制部６４ａと側柵１３ａ、１３ｂとの間の距離は、それぞれ例えば６０ｍｍ未満となっている。マットレス規制部６４ａと側柵１３ａ、１３ｂとの間の距離は、それぞれＩＥＣ規格に定められた要求を満たす。
【００４６】
各バッグ保持部６４ｂは、左右方向に片持ち梁状に延びる梁部と、梁部の先端から上方に向けて突出する突出部と、を有するフック状に形成されている。各バッグ保持部６４ｂには、不図示の採尿バッグ等を掛けて保持することができる。ベルト受け部６４ｃは、側材６４を左右方向に貫通し、前後方向に長い長丸穴状に形成されている。ベルト受け部６４ｃには、不図示のベルトが挿通して位置を規制される。ボトムヒンジ６４ｄ、６４ｅは、側材６４を左右方向に貫通する貫通孔である。ボトムヒンジ６４ｄは、背ボトム２１の回動中心となる。ボトムヒンジ６４ｅは、膝ボトム２４の回動中心となる。
【００４７】
（背ボトム）
図１に示すように、背ボトム２１の左右両側の端部には、連結板６８が固定されている。連結板６８には、連結板６８を左右方向に貫通する貫通孔が形成されている。連結板６８の貫通孔と、側材６４のボトムヒンジ６４ｄと、が共通のピンにより挿通されることで、背ボトム２１はボトムヒンジ６４ｄを中心として上下方向に回動する。
【００４８】
図１、図３等に示すように、背ボトム２１は、複数の通気孔２１ａと、複数のベルト受け部２１ｂと、を有する。各通気孔２１ａ及び各ベルト受け部２１ｂは、背ボトム２１を上下方向に貫通している。各ベルト受け部２１ｂは、背ボトム２１のうち外周縁の近傍に配置されている。各通気孔２１ａは、背ボトム２１のうち各ベルト受け部２１ｂよりも内側の部分に配置されている。複数のベルト受け部２１ｂには、それぞれ不図示のベルトが挿通して、位置を規制される。なお、ベルト受け部２１ｂに挿通するベルトは、側材６４のベルト受け部６４ｃに挿通するベルトと同一であってもよい。
【００４９】
（脚ボトム）
図１に示すように、脚ボトム２３は、膝ボトム２４と、足ボトム２５と、を備えている。これらの膝ボトム２４および足ボトム２５は、頭側Ｈから足側Ｆに向けてこの順に並んでいる。膝ボトム２４は、使用者の膝から腰を支える。足ボトム２５は、使用者の膝から足先を支える。
膝ボトム２４と足ボトム２５とは、左右方向に延びる屈曲軸２７回りに回動自在に連結されている。そのため、膝ボトム２４がボトムヒンジ６４ｅ回りに回動すると、屈曲軸２７が頂点をなすように、脚ボトム２３が上方に向けて屈曲する。
【００５０】
膝ボトム２４の左右両側の端部には、膝ボトム支持板６９がそれぞれ固定されている。膝ボトム支持板６９には、膝ボトム支持板６９を左右方向に貫通する貫通孔が形成されている。膝ボトム支持板６９の貫通孔と、側材６４のボトムヒンジ６４ｅと、が共通のピンにより挿通されているため、膝ボトム２４がボトムヒンジ６４ｅを中心として上下方向に回動する。
【００５１】
図３および図９に示すように、足ボトム２５は、外枠２５ａと、足ボトム板２５ｂと、を有する。外枠２５ａは、上下方向から見て頭側Ｈに向けて開口するＣ字状に形成されている。外枠２５ａは、パイプ（管状）である。足ボトム板２５ｂは、外枠２５ａを上方から覆っている。
図１および図９に示すように、足ボトム２５の左右両側の端部には、足ボトム支持板６７がそれぞれ固定されている。足ボトム支持板６７は、足ボトム２５を支持する。足ボトム支持板６７と側柵１３ｂとの間の距離は、例えば６０ｍｍ未満となっている。足ボトム支持板６７と側柵１３ｂとの間の距離は、ＩＥＣ規格に定められた要求を満たす。
図３に示すように、足ボトム２５の足側Ｆの端部には、２つの摺動部材２８が取り付けられている。摺動部材２８は、工業用樹脂等の摺動性に優れた材質により形成されている。
【００５２】
図１０に示すように、摺動部材２８は、マットレス規制部２８ａと、取り付け部２８ｂと、摺動面２８ｃと、を有する。取付け部２８ｂは、側面視においてコの字状に形成され、足ボトム２５を挟持している。マットレス規制部２８ａは、取り付け部２８ｂの上面のうち足側Ｆの端部から上方に向けて延びている。マットレス規制部２８ａは、足ボトム２５のマットレス載置面から上方に向けて延びている。摺動面２８ｃは、取り付け部２８ｂの下面である。
【００５３】
（足ボトム支持構造）
足ボトム支持構造９０は、足ボトム２５を支持する。足ボトム支持構造９０は、屈曲軸２７周りの水平方向に対する足ボトム２５の傾斜角度を調節可能である。図９に示すように、足ボトム支持構造９０は、足ボトム２５の角度を調節するためのステー７０と、ステー７０を支持する一対の支持部材８０と、を備えている。一対の支持部材８０はメインフレーム３２の一対の第二縦部材３７にそれぞれ溶接（固着）されている。
図８に示すように、ステー７０は、一対の回転支持部７１と、一対の操作部７２と、一対の被支持部７３と、連結部７６と、を備えている。
ステー７０は屈曲した丸棒状に形成されている。ステー７０のうち、一対の回転支持部７１、一対の操作部７２、一対の被支持部７３、および連結部７６は、それぞれの端部同士が屈曲部を介して連なっている。ステー７０の各部分は互いに同等の大きさの円形状の断面を有する。ステー７０は丸棒を曲げることで一体に成形可能である。
【００５４】
図９に示すように、一対の回転支持部７１はそれぞれ、左右方向に延在している。一対の回転支持部７１はそれぞれ、足ボトム２５の外枠２５ａに形成された一対の取付孔（不図示）に回転自在に挿通されている。これにより、一対の回転支持部７１は、足ボトム２５を回転自在に支持している。一対の操作部７２はそれぞれ、前後方向に延在している。一対の操作部７２はそれぞれ、頭側Ｈに向かうに従い、漸次左右方向の内側に向かって延びている。一対の操作部７２における足側Ｆの端部はそれぞれ、屈曲部を介して一対の回転支持部７１の左右方向における内側の端部に連なっている。一対の被支持部７３はそれぞれ、左右方向に延在している。一対の被支持部７３の左右方向における外側の端部はそれぞれ、屈曲部を介して一対の操作部７２における頭側Ｈの端部に連なっている。一対の被支持部７３はそれぞれ、一対の支持部材８０に支持されている。連結部７６は、左右方向に延在している。連結部７６は、一対の被支持部７３の間に延在し、左右方向における両端部がそれぞれ屈曲部を介して被支持部７３の左右方向における内側の端部に連なっている。
【００５５】
図８に示すように、連結部７６は、左右方向に延在する横連結部７５と、上下方向に延在する一対の縦連結部７４と、を有する。一対の縦連結部７４の上端部はそれぞれ、横連結部７５の左右両端部に屈曲部を介して連なっている。一対の縦連結部７４の下端部はそれぞれ、屈曲部を介して一対の被支持部７３の左右方向における内側の端部に連なっている。なお、縦連結部７４を介さず、横連結部７５の左右両端部がそれぞれ直接一対の被支持部７３に連なっていてもよい。
【００５６】
図９に示すように、一対の操作部７２はいずれも一対の被支持部７３から足側Ｆに向けて延びている。これにより、ステー７０は上下方向から見た平面視において足側Ｆに向けて開口するＣ字状に形成され、一対の回転支持部７１同士が左右方向に近づくように弾性変形しやすくなっている。
ステー７０を足ボトム２５の外枠２５ａに取り付ける際には、操作部７２を掴み、一対の回転支持部７１同士が左右方向に互いに接近するようにステー７０を弾性変形させる。そして、一対の回転支持部７１をそれぞれ外枠２５ａの一対の取付孔に挿通させる。操作部７２から手を放すと、弾性変形したステー７０の復元力によって回転支持部７１同士が離間し、取り付けが完了する。
【００５７】
図１０に示すように、支持部材８０は、上方規制部８１と、立上壁８２と、第一支持部８３と、第一当接部８４と、傾斜部８５と、第二支持部８６と、第二当接部８７と、を有し、これらは一体に形成されている。本実施形態では、支持部材８０は、鋼板などをプレス加工することにより成形されている。
上方規制部８１は、ステー７０の被支持部７３よりも上方に配置されている。上方規制部８１は、前後方向に延在している。上方規制部８１は、ステー７０の上方への移動を規制する。立上壁８２は、上方規制部８１の足側Ｆの端部から下方に向けて延びている。第一支持部８３は、立上壁８２の下端部から頭側Ｈに向けて延びている。上方規制部８１の頭側Ｈの端部は、第一支持部８３の頭側Ｈの端部よりも足側Ｆ寄りに位置している。第一当接部８４は、第一支持部８３の頭側Ｈの端部から上方に向けて延びている。傾斜部８５は、上方に向けて凸の曲面部を介して第一当接部８４の上端部に連なっている。傾斜部８５は、頭側Ｈに向かうに従い漸次下方に向かって延びている。第二支持部８６は、傾斜部８５の下端部から頭側Ｈに向けて延びている。第二当接部８７は、第二支持部８６の頭側Ｈの端部から上方に向けて延びている。第二当接部８７は、第一当接部８４よりも頭側Ｈに配置されている。
【００５８】
次に、以上のように構成された足ボトム支持構造９０の作用について説明する。
【００５９】
第二駆動機構５４が駆動すると、膝ボトム２４がボトムヒンジ６４ｅを中心に回動する。これに連動して、図１０に示すように、足ボトム２５が屈曲軸２７回りに回動する。足ボトム２５とステー７０とは、回転支持部７１を介して連結されているため、ステー７０は足ボトム２５に連動して回動する。より詳しくは、回転支持部７１が上方に引き上げられることにより、ステー７０は被支持部７３を中心として上方に向けて回動する。その結果、ステー７０は、操作部７２が足側Ｆに向かうに従い漸次上方に向かう姿勢に傾く。このとき、足ボトム２５や人の足部の荷重はステー７０を介して支持部材８０により支持される。
ステー７０を介して支持部材８０に伝わる力（以下、支持力という）は、下方向の成分と頭側Ｈ方向の成分とを有する。支持力により、被支持部７３は第一支持部８３および第一当接部８４に当接する。被支持部７３の頭側Ｈへの移動は、第一当接部８４により規制される。支持力のうち頭側Ｈ方向の成分は、第一当接部８４により支持される。支持力のうち下方向の成分は、第一支持部８３により支持される。
【００６０】
図１０の状態から足ボトム２５の角度を調節する場合には、操作部７２を掴み、被支持部７３を上方に移動させる。被支持部７３が第一当接部８４の上端部を上方に通過すると、被支持部７３は第一当接部８４を超えて頭側Ｈに移動可能となる。被支持部７３が第一当接部８４よりも頭側Ｈに位置する状態で操作部７２から手を放すと、例えば被支持部７３が傾斜部８５上を摺動するなどして、被支持部７３が頭側Ｈに移動する。被支持部７３は、支持力によって第二支持部８６および第二当接部８７に当接し、図１１の状態となる。このようにして、足ボトム２５は、足側Ｆの端部が下降するように屈曲軸２７まわりに回動する。
図１１の状態では、被支持部７３の頭側Ｈへの移動は、第二当接部８７により規制される。支持力のうち頭側Ｈ方向の成分は、第二当接部８７により支持される。支持力のうち下方向の成分は、第二支持部８６により支持される。
【００６１】
図１０および図１１に示すように、被支持部７３が第二当接部８７に当接している状態の方が、第一当接部８４に当接している状態よりも、足ボトム２５の足側Ｆの端部の高さが低い。これは、回転支持部７１から第二当接部８７までの前後方向の距離が、回転支持部７１から第一当接部８４までの前後方向の距離よりも大きいためである。このように、本実施形態では被支持部７３の前後方向の位置を変化させることで、容易に足ボトム２５の角度を調節することができる。
【００６２】
以上説明したように、本実施形態の足ボトム支持構造９０によれば、一対の回転支持部７１と、一対の操作部７２と、一対の被支持部７３と、連結部７６と、が一体に形成されたステー７０を用いた、簡易な構成によって足ボトム２５の角度調節機能を実現することができる。
【００６３】
また、一対の回転支持部７１と、一対の操作部７２と、一対の被支持部７３と、連結部７６とがそれぞれ、直線若しくは屈曲した丸棒状に形成され、互いに同等の大きさの円形状の断面を有している。このため、丸棒を曲げることでステー７０を成形することが可能である。これにより、例えば鋳型等を用いる場合や、複数の部品を溶接してステー７０を成形する場合と比較して、製造コストを抑えることができる。
【００６４】
また、ステー７０がＣ字状に形成されていることにより、一対の回転支持部７１が互いに近づくように、ステー７０を弾性変形させやすくなり、ステー７０を足ボトム２５に取り付ける際の作業性を向上させることができる。
【００６５】
また、支持部材８０の上方規制部８１がステー７０の上方への移動を規制するため、ステー７０の回転支持部７１を介して足ボトム２５の上方への移動をも規制することができる。これにより、例えば足ボトム２５を勢いよく上方に移動させた場合に、ステー７０が支持部材８０から外れるとともに足ボトム２５が過剰に上方に移動するのを防止することができる。
【００６６】
なお、本発明の技術的範囲は前記実施の形態に限定されるものではなく、本発明の趣旨を逸脱しない範囲において種々の変更を加えることが可能である。
【００６７】
例えば、ボード１４、オプション１５が無くてもよい。
また、ステー７０の被支持部７３と支持部材８０とが擦れて、塗装が剥がれるのを防止するために、被支持部７３を覆う樹脂製のカバーをステー７０に取り付けてもよい。
また、前記実施形態では、支持部材８０が第一当接部８４と第二当接部８７と、を有することで、足ボトム２５の角度を二段階に調節可能としたが、本発明はこれに限られない。例えば、第一当接部８４および第二当接部８７の他にも、前後方向の位置が異なる当接部を設けて、足ボトム２５の角度を三段階以上に調節可能としてもよい。
また、前記実施形態では屈曲した丸棒状に形成されたステー７０を用いたが、これに限られない。例えば、各部分が非円形状（角形状、楕円形状など）の断面を有するステー７０を用いてもよい。この場合には、例えば角形棒や楕円形棒など、断面が非円形状の棒体を曲げてステー７０を成形してもよい。
【００６８】
また、前記実施形態では、背ボトム２１および脚ボトム２３の両方が回動する可動ボトムとされ、かつ、寝台１１を昇降させる昇降機構３３を有する４ＡＣＴ（４モーター）のギャッチベッドを採用したが、本発明はこれに限られない。例えば、脚ボトム２３のみが回動する３ＡＣＴ（３モータ）のギャッチベッドを採用することも可能である。
さらに本発明は、電動式のギャッチベッドへの適用に限られない。本発明は、駆動機構１６の動力が人力である手動式のギャッチベッドにも適用することが可能である。
また、本発明の趣旨を逸脱しない範囲で、上記した実施の形態における構成要素を周知の構成要素に置き換えてもよい。
【符号の説明】
【００６９】
１０…寝台装置、２５…足ボトム、７０…ステー、７１…回転支持部、７２…操作部、７３…被支持部、７６…連結部、８０…支持部材、８１…上方規制部、９０…足ボトム支持構造
【図１】
0006668179.tif 000002
【図２】
0006668179.tif 000003
【図３】
0006668179.tif 000004
【図４】
0006668179.tif 000005
【図５】
0006668179.tif 000006
【図６】
0006668179.tif 000007
【図７】
0006668179.tif 000008
【図８】
0006668179.tif 000009
【図９】
0006668179.tif 000010
【図１０】
0006668179.tif 000011
【図１１】
0006668179.tif 000012